(57)【要約】【課題】安全栓の引抜き時に安全栓に引っ掛けた指への刺激を低減した使い易い消火器を提供する。【解決手段】  Ｕ字状の把持部５１と、把持部５１に連結され、且つ消火器１００の起動レバー３３が有する第１貫通孔３３ａ及び起倒杆３４が有する嵌入孔３４ａに嵌入される直状の嵌入棒５２と、嵌入棒５２の近傍の把持部５１に連結され、且つ、第１貫通孔３３ａの近傍に形成される起動レバー３３の第２貫通孔３３ｂに遊貫されるとともに起倒杆３４と係合する係合突起５３とを備える。把持部５１は、上方内側に嵌入棒５２の直状方向と略垂直な平面部５４を有する。【選択図】図５
2010200818.tif 000002
【特許請求の範囲】
【請求項１】
リング状の把持部と、
前記把持部に連結され、且つ消火器の起動レバーが有する第１貫通孔及び前記消火器の起倒杆が有する嵌入孔に嵌入される直状の嵌入棒と、
前記嵌入棒の近傍の前記把持部に連結され、且つ、前記第１貫通孔の近傍に形成される前記起動レバーの第２貫通孔に遊貫されるとともに前記起倒杆と係合する係合突起とを備え、
前記把持部は、上方内側に前記嵌入棒の直状方向に略垂直な平面部を有する
消火器用安全栓。
【請求項２】
Ｕ字状、コ字状、Ｃ字状、又はＶ字状の把持部と、
前記把持部に連結され、且つ消火器の起動レバーが有する第１貫通孔及び前記消火器の起倒杆が有する嵌入孔に嵌入される直状の嵌入棒と、
前記嵌入棒の近傍の前記把持部に連結され、且つ、前記第１貫通孔の近傍に形成される前記起動レバーの第２貫通孔に遊貫されるとともに前記起倒杆と係合する係合突起とを備え、
前記把持部は、上方内側に前記嵌入棒の直状方向と略垂直な平面部を有する
消火器用安全栓。
【請求項３】
前記平面部の幅が、１４ｍｍ以上１７ｍｍ以下である
請求項１又は請求項２に記載の消火器用安全栓。
【請求項４】
前記把持部の開口部が、前記嵌入棒が前記把持部と連結する箇所と前記係合突起が前記把持部と連結する箇所との間の領域を除く位置に形成され、且つ
前記開口部の幅が、１５ｍｍ以上１７ｍｍ以下である
請求項２に記載の消火器用安全栓。
【請求項５】
前記平面部の一部に、人間の指の幅と略同じ又はその幅よりも広い曲面を備えた凹部が少なくとも１つ形成された
請求項１又は請求項２に記載の消火器用安全栓。
【請求項６】
前記平面部の両端に、人間の指の形状にほぼ沿った形状であるとともに、前記平面部と連続性のある滑らかな曲面部を備え、
前記平面部と前記曲面部とを合わせた幅が、３０ｍｍ以上３４ｍｍ以下である
請求項１又は請求項２に記載の消火器用安全栓。
【請求項７】
リング状の把持部と、前記把持部に連結され、且つ消火器の起動レバーが有する第１貫通孔及び前記消火器の起倒杆が有する嵌入孔に嵌入される直状の嵌入棒と、前記嵌入棒の近傍の前記把持部に連結され、且つ、前記第１貫通孔の近傍に形成される前記起動レバーの第２貫通孔に遊貫されるとともに前記起倒杆と係合する係合突起とを有し、前記把持部が上方内側に前記嵌入棒の直状方向に略垂直な平面部を有する安全栓を備えた
消火器。
【請求項８】
Ｕ字状、コ字状、Ｃ字状、又はＶ字状の把持部と、前記把持部に連結され、且つ消火器の起動レバーが有する第１貫通孔及び前記消火器の起倒杆が有する嵌入孔に嵌入される直状の嵌入棒と、前記嵌入棒の近傍の前記把持部に連結され、且つ、前記第１貫通孔の近傍に形成される前記起動レバーの第２貫通孔に遊貫されるとともに前記起倒杆と係合する係合突起とを有し、前記把持部が上方内側に前記嵌入棒の直状方向と略垂直な平面部を有する安全栓を備えた
消火器。
【請求項９】
前記嵌入棒が、略鉛直上に前記第１貫通孔及び前記嵌入孔に嵌入される
請求項７又は請求項８に記載の消火器。
【発明の詳細な説明】
【技術分野】
【０００１】
本発明は、消火器用安全栓及びその消火器用安全栓を備えた消火器に関するものである。
【背景技術】
【０００２】
従来より、操作レバーの回動により消火剤を噴射する消火器には、非使用時における不意の消火剤の噴射を防止するために、操作レバーの動きを妨げる安全栓が設けられている。従来の安全栓は、特許文献１にも記載されるように、安全栓を引抜くために指を通すためのループ部１３ｂと、ループ部１３ｂの中心部下方に形成される直線部１３ａとを備えている。このような安全栓により、操作レバーの間に配置される起倒杆が起立状態に保持されるため、操作レバーの回動が防止される。
【先行技術文献】
【特許文献】
【０００３】
【特許文献１】実公昭６２−４３５７１号公報
【発明の概要】
【発明が解決しようとする課題】
【０００４】
しかし、上述のような従来の安全栓は、その安全栓を引抜く際に指を引っ掛ける部分が曲面によって形成される略円弧状をしていたため、安全栓に引っ掛けた指の一箇所に安全栓の引抜きの反力が集中していた。その結果、その反力が集中した指に負担が掛かり、不要な痛みを感じる虞があった。
【課題を解決するための手段】
【０００５】
本発明は、上述の課題を解消することにより、安全栓の引抜き時に安全栓に引っ掛けた指への刺激を低減した使い易い消火器の実現に大きく貢献するものである。
【０００６】
発明者は、まず、安全栓に引っ掛けた指に略均等に安全栓の引抜きの反力が分散される構造について検討を重ねた。さらに、発明者は、安全栓に引っ掛けた指によって加えられた力が、安全栓の引抜きに対して効率的に寄与する構造についても鋭意研究を重ねた。その結果、発明者は、安全栓に引っ掛けた指への局所的な反力の集中を回避するとともに、安全栓に引っ掛けた指によって加えられた力が効率的に安全栓の引抜きに寄与し得る構造を見出した。本発明は、そのような観点で創出された。
【０００７】
本発明の１つの消火器用安全栓は、リング状の把持部と、前述の把持部に連結され、且つ消火器の起動レバーが有する第１貫通孔及び前述の消火器の起倒杆が有する嵌入孔に嵌入される直状の嵌入棒と、前述の嵌入棒の近傍の前述のリング状把持部に連結され、且つ、前述の第１貫通孔の近傍に形成される前述の起動レバーの第２貫通孔に遊貫されるとともに前述の起倒杆と係合する係合突起とを備える。また、前述の把持部は、上方内側に上述の嵌入棒の直状方向に略垂直な平面部を有する。
【０００８】
この消火器用安全栓によれば、リング状の把持部が、上方内側に平面部を有することから、安全栓を引き抜く際の加えられた力に対する指への反力が、略均等に分散される。従って、安全栓を引き抜く際に、指への負担が大幅に低減され得る。また、この消火器用安全栓によれば、嵌入棒の直状方向に略垂直な平面部を有することから、安全栓に引っ掛けた指によって加えられた力が、非常に効率的に安全栓の引抜きに寄与し得る。その結果、従来と比較して非常に簡単に安全栓を引抜くことができる。上述のとおり、この消火器用安全栓によれば、安全栓を引き抜く際に、安全栓に引っ掛けた指への刺激及び負担が低減され得る。
【０００９】
また、本発明の他の１つの消火器用安全栓は、Ｕ字状、コ字状、Ｃ字状、又はＶ字状の把持部と、前述の把持部に連結され、且つ消火器の起動レバーが有する第１貫通孔及び前述の消火器の起倒杆が有する嵌入孔に嵌入される直状の嵌入棒と、前述の嵌入棒の近傍の前記リング状把持部に連結され、且つ、前述の第１貫通孔の近傍に形成される前述の起動レバーの第２貫通孔に遊貫されるとともに前述の起倒杆と係合する係合突起とを備える。また、前述の把持部は、上方内側に上述の嵌入棒の直状方向と略垂直な平面部を有する。
【００１０】
この消火器用安全栓によれば、Ｕ字状、コ字状、Ｃ字状、又はＶ字状の把持部が、上方内側に平面部を有することから、安全栓を引き抜く際の加えられた力に対する指への反力が、略均等に分散される。従って、安全栓を引き抜く際に、指への負担が大幅に低減され得る。また、この消火器用安全栓によれば、嵌入棒の直状方向に略垂直な平面部を有することから、安全栓に引っ掛けた指によって加えられた力が、非常に効率的に安全栓の引抜きに寄与し得る。その結果、従来と比較して非常に簡単に安全栓を引抜くことができる。上述のとおり、この消火器用安全栓によれば、安全栓を引き抜く際に、安全栓に引っ掛けた指への刺激及び負担が低減され得る。
【００１１】
また、本発明の１つの消火器は、リング状の把持部と、前述の把持部に連結され、且つ消火器の起動レバーが有する第１貫通孔及び前述の消火器の起倒杆が有する嵌入孔に嵌入される直状の嵌入棒と、前述の嵌入棒の近傍の前述のリング状把持部に連結され、且つ、前述の第１貫通孔の近傍に形成される前述の起動レバーの第２貫通孔に遊貫されるとともに前述の起倒杆と係合する係合突起とを有する安全栓を備えている。また、この安全栓の前述の把持部が上方内側に上述の嵌入棒の直状方向に略垂直な平面部を有している。
【００１２】
この消火器によれば、リング状の把持部が、その上方内側に平面部を有することから、安全栓を引き抜く際の加えられた力に対する指への反力が、略均等に分散される。従って、安全栓を引き抜く際に、指への負担が大幅に低減され得る。また、この消火器用安全栓によれば、嵌入棒の直状方向に略垂直な平面部を有することから、安全栓に引っ掛けた指によって加えられた力が、非常に効率的に安全栓の引抜きに寄与し得る。その結果、従来と比較して非常に簡単に安全栓を引抜くことができる。上述のとおり、この消火器用安全栓によれば、安全栓を引き抜く際に、安全栓に引っ掛けた指への刺激及び負担が低減され得る。
【００１３】
また、本発明の他の１つの消火器は、Ｕ字状、コ字状、Ｃ字状、又はＶ字状の把持部と、前述の把持部に連結され、且つ消火器の起動レバーが有する第１貫通孔及び前述の消火器の起倒杆が有する嵌入孔に嵌入される直状の嵌入棒と、前述の嵌入棒の近傍の前述のリング状把持部に連結され、且つ、前述の第１貫通孔の近傍に形成される前述の起動レバーの第２貫通孔に遊貫されるとともに前述の起倒杆と係合する係合突起とを有する安全栓を備えている。また、この安全栓の前述の把持部が上方内側に上述の嵌入棒の直状方向と略垂直な平面部を有している。
【００１４】
この消火器によれば、Ｕ字状、コ字状、Ｃ字状、又はＶ字状の把持部が、その上方内側に平面部を有することから、安全栓を引き抜く際の加えられた力に対する指への反力が、略均等に分散される。従って、安全栓を引き抜く際に、指への負担が大幅に低減され得る。また、この消火器用安全栓によれば、嵌入棒の直状方向に略垂直な平面部を有することから、安全栓に引っ掛けた指によって加えられた力が、非常に効率的に安全栓の引抜きに寄与し得る。その結果、従来と比較して非常に簡単に安全栓を引抜くことができる。上述のとおり、この消火器用安全栓によれば、安全栓を引き抜く際に、安全栓に引っ掛けた指への刺激及び負担が低減され得る。
【００１５】
なお、本出願において、「リング状」とは、円形状、楕円形状、多角形状、又は馬蹄形状等の無端の環状形状を意味する。
【発明の効果】
【００１６】
本発明によれば、安全栓の引抜き時に安全栓に引っ掛けた指への局所的な刺激が低減され、消火器の使い易さが向上する。
【図面の簡単な説明】
【００１７】
【図１】本発明の１つの実施形態の消火器を示す全体外観図である。
【図２】本発明の１つの実施形態の消火器の上部を拡大して示す側面図である。
【図３】本発明の１つの実施形態の安全栓を示す斜視図である。
【図４】本発明の１つの実施形態の安全栓を示す正面図である。
【図５】本発明の１つの実施形態の安全栓を取り外したときの安全栓及び消火器の上部を示す説明図である。
【図６】本発明の他の実施形態の安全栓を示す正面図である。
【図７】本発明の他の実施形態の安全栓を示す正面図である。
【図８】本発明の他の実施形態の安全栓を示す正面図である。
【図９】本発明の他の実施形態の消火器の上部を拡大して示す側面図である。
【発明を実施するための形態】
【００１８】
本発明の実施形態を、添付する図面に基づいて詳細に述べる。尚、この説明に際し、全図にわたり、特に言及がない限り、共通する部分には共通する参照符号が付されている。また、図中、本実施形態の要素は必ずしもスケール通りに示されていない。また、各図面を見やすくするために、一部の符号が省略されうる。
【００１９】
＜第１の実施形態＞
図１は本実施形態の消火器１００を示す全体外観図である。また、図２は、本実施形態の消火器１００の上部を拡大して示す側面図である。
【００２０】
図１及び図２に示す本実施形態の消火器１００は、消火剤（例えば、粉末消火薬剤）が充填された公知の消火剤貯蔵容器１０と、消火剤貯蔵容器１０の上方に配設される操作レバー３０と、操作レバー３０を操作することにより消火剤貯蔵容器１０の内部と流通可能に接続されるホース４０と、非使用時に操作レバー３０を固定する安全栓５０と、消火剤貯蔵容器１０の内部の圧力を測定する圧力計６０とを備えている。
【００２１】
図２に示されるように、本実施形態の操作レバー３０は、バルブを構成する弁箱としての蓋体３１と、固定レバー３２と、起動レバー３３と、起倒杆３４とを備える。起動レバー３３は、固定レバー３２に対して回動可能となるように軸３５により係止されている。同様に、起倒杆３４は、固定レバー３２に対して、回動可能となるように軸３６により係止されている。
【００２２】
次に、本実施形態の安全栓５０について説明する。図３は、本実施形態の安全栓５０を示す斜視図である。また、図４は、本実施形態の安全栓５０の正面図である。また、図５は、安全栓５０を取り外したときの安全栓５０及び消火器１００の上部を示す説明図である。
【００２３】
本実施形態の安全栓５０は、Ｕ字状、Ｃ字状、乃至コ字状（以下、本実施形態において、総称してＵ字状という。）の把持部５１と、把持部５１に連結され直状の嵌入棒５２と、嵌入棒５２の近傍の把持部５１に連結される係合突起５３とを備える。把持部５１は、上方内側に嵌入棒５２の直状方向と略垂直な平面部５４を有する。このため、安全栓５０を引き抜く際の加えられた平面部５４への力に対する指への反力が、略均等に分散される。従って、安全栓５０を引き抜く際に、指への負担が大幅に低減され得る。さらに、本実施形態においては、平面部５４の両端に、曲面部５６を備えている。この曲面部５６は、人間の指の形状にほぼ沿った形状であるとともに、平面部５４と連続性のある滑らかな曲面で形成されている。
【００２４】
ここで、本実施形態における嵌入棒５２の直状方向と略垂直とは、嵌入棒５２の直状方向を中心にして、±１０°以内の範囲である。このような範囲の角度の平面部５４が採用されることにより、平面部５４に引っ掛けた使用者の指による引抜きの力を非常に効率的に安全栓の引抜きに寄与し得る。また、平面部５４と曲面部５６とを合わせた幅Ｔ３が、３０ｍｍ以上３４ｍｍ以下となることが好ましい。一般的な人間の１本の指の幅が１５ｍｍ以上１７ｍｍ以下であると考えられるため、このような範囲の幅Ｔ３が適用されることにより、使用者の指を２本以上引っ掛けることが可能となるため、操作性がさらに向上する。また、曲面部５６は、平面部５４の両端部に人間の指の形状にほぼ沿った形状であるとともに、平面部５４と連続性のある滑らかな曲面であるため、自身の指を曲面部５６にしっかりと当接しながら安全栓５０を引抜くことできる。その結果、安全栓５０の引抜き時に使用者が不要な痛みを感じることを防止できる。加えて、平面部５４の幅Ｔ１は、１４ｍｍ以上１７ｍｍ以下となることが好ましい。このような範囲の幅Ｔ１が適用されることにより、平面部５４に指をしっかりと当接させた上で、最端に位置する指の中央部より端側を曲面部５６に当接させながら安全栓５０を引抜くことできる。従って、安全栓５０の引抜き時に使用者が不要な痛みを感じることをさらに防止できる。
【００２５】
また、この把持部５１の開口部５１ａが、嵌入棒５２が把持部５１と連結する箇所Ａと係合突起５３が把持部５１と連結する箇所Ｂとの間の領域を除く位置に形成される。このため、使用者が安全栓５０を引抜く際に、使用者の指を開口部５１ａから通すことが可能となる。ここで、開口部５１ａの幅Ｔ２は、１５ｍｍ以上１７ｍｍ以下となることが好ましい。このような開口部５１ａの幅Ｔ２が採用されることにより、使用者は、従来のようにリングの孔に指を嵌入させるのみならず、開口部５１ａの側方からスライド移動させることによって把持部５１にその指を引っ掛けることが可能となる。加えて、本実施形態においては、開口部５１ａが、固定レバー３２及び起動レバー３３の配置される側と反対側に形成されている。これは、使用者は固定レバー３２及び起動レバー３３を把持する手と異なる手で安全栓５０を引抜くことが一般的であるため、上述のような開口部５１ａの配置により開口部５１ａを利用した安全栓５０の引抜きの操作性を高めるためである。
【００２６】
また、嵌入棒５２は、起動レバー３３が有する第１貫通孔３３ａ及び起倒杆３４が有する嵌入孔３４ａに嵌入される。また、図２に示すように、係合突起５３は、第１貫通孔３３ａの近傍に形成される第２貫通孔３３ｂに遊貫されるとともに起倒杆３４と係合する。これにより、嵌入棒５２が、第１貫通孔３３ａ及び嵌入孔３４ａに嵌入された状態においては、起倒杆３４の起立状態が維持される。
【００２７】
上述のような消火器１００を使用する際には、まず、安全栓５０が引抜かれる。このとき、使用者は、指を平面部５４に引っ掛けた後、安全栓５０の嵌入棒５２の直状方向に向けて引き抜く。このため、安全栓５０を引き抜く際に、指への負担が大幅に低減されるとともに、平面部５４に引っ掛けた指によって加えられた力が、非常に効率的に安全栓の引抜きに寄与し得る。安全栓５０が引抜かれると、起倒杆３４が軸３６を中心に傾倒するため、操作レバー３０が操作可能な状態となる（図５参照）。次に、消火剤貯蔵容器１０に接着されるホース４０の先端が、消火剤貯蔵容器１０から取り外された後、ホース４０の先端が火災又はその周囲の方向に向けられる。尚、ホース４０の先端と消火剤貯蔵容器１０とは、取り外しが容易な状態で接着されていることが好ましい。この接着手段の一例は、面ファスナーである。
【００２８】
消火剤を噴射するための上述の準備が完了すると、使用者によって固定レバー３２と起動レバー３３とが強く挟持される。その結果、起動レバー３３が固定レバー３２に近づく方向に軸３５を中心に回動する。起動レバー３３が回動すると、起動レバー３３によってバルブが解放されるため、消火剤貯蔵容器１０の内部に貯蔵される消火剤が、ホース４０を介して火炎又はその周囲に向けて噴射される。
【００２９】
＜第２の実施形態＞
図６は、本実施形態の安全栓２５０を示す正面図である。
【００３０】
本実施形態の安全栓２５０は、第１の実施形態の安全栓５０を構成する把持部５１が把持部２５１に変更されている点以外は、第１の実施形態の安全栓５０と同じ構成を備えている。従って、第１の実施形態と重複する説明は省略される。
【００３１】
本実施形態の安全栓２５０は、開口部５１ａが形成された把持部５１の代わりに、開口部が形成されないリング状の把持部２５１を有する点で、第１の実施形態の安全栓５０と異なる。開口部が形成されないリング状の把持部２５１を備える安全栓２５０であっても、第１の実施形態の安全栓５０の少なくとも一部の効果が奏される。すなわち、安全栓２５０を引き抜く際の加えられた力に対する指への反力が、略均等に分散されるため、安全栓２５０を引き抜く際に、指への負担が大幅に低減され得る。また、安全栓２５０に引っ掛けた指によって加えられた力が、非常に効率的に安全栓２５０の引抜きに寄与し得るため、従来と比較して非常に簡単に安全栓２５０を引抜くことができる。但し、使用者の操作性の観点から、第１の実施形態の安全栓５０が採用される方が好ましい。
【００３２】
＜第３の実施形態＞
図７は、本実施形態の安全栓３５０を示す正面図である。
【００３３】
本実施形態の安全栓３５０は、第１の実施形態の安全栓５０を構成する把持部５１が把持部３５１に変更されている点以外は、第１の実施形態の安全栓５０と同じ構成を備えている。従って、第１の実施形態と重複する説明は省略される。
【００３４】
本実施形態の安全栓３５０は、第１の実施形態の把持部５１と同様に、開口部３５１ａが形成されたＵ字状の把持部３５１を備えている。但し、この開口部３５１ａは、嵌入棒５２が把持部３５１と連結する箇所Ａと係合突起５３が把持部３５１と連結する箇所Ｂとの間の位置に形成されている。本実施形態の安全栓３５０も、第２の実施形態の安全栓２５０の効果と同様の効果が奏される。但し、使用者の操作性の観点から、第１の実施形態の安全栓５０が採用される方が好ましい。
【００３５】
＜第４の実施形態＞
図８は、本実施形態の安全栓４５０を示す正面図である。
【００３６】
本実施形態の安全栓４５０は、第１の実施形態の安全栓５０を構成する把持部５１が把持部４５１に変更されている点以外は、第１の実施形態の安全栓５０と同じ構成を備えている。従って、第１の実施形態と重複する説明は省略される。
【００３７】
本実施形態の安全性４５０の把持部４５１は、第１の実施形態の把持部５１の平面部５４に相当する部分の一部に、曲面を備えた凹部４５５が２つ形成されている。本実施形態の凹部４５５は、凹部４５５以外の把持部４５１との連続性のある滑らかな形状を維持している。なお、この凹部４５５の１つの曲面の幅（図８の幅Ｗ）は、人間の指の幅（一般的な人間の指１本の幅は１５ｍｍ以上１７ｍｍ以下と考えられる）と略同じになっている。その結果、使用者が、自身の指を凹部４５５に当接しながら安全栓４５０を引抜くことができる。従って、使用者の引抜きの操作性がさらに向上する。
【００３８】
ところで、本実施形態では、２つの凹部４５５が形成されているが、その数は限定されない。例えば、１つ、３つ、又は４つの凹部４５５が形成されても、同等の効果が奏される。また、凹部４５５の曲面の幅が人間に指の幅と同程度の幅に形成されているが、人間の指の幅よりも広い幅を持つ曲面が形成されていても、本実施形態の効果と同等の効果が奏される。
【００３９】
＜第５の実施形態＞
図９は、本実施形態の消火器５００の上部を拡大して示す側面図である。
【００４０】
本実施形態の消火器５００は、安全栓５０の嵌入の方向及びその嵌入に対応する起倒杆３４が変更されている点以外は、第１の実施形態と同じ構成を備えている。従って、第１の実施形態と重複する説明は省略される。
【００４１】
本実施形態の安全栓５０の嵌入棒５２は、略鉛直上に第１貫通孔３３ａ及び嵌入孔３４ａに嵌入される。このため、使用者は、単に鉛直方向に力を入れることにより安全栓５０を引抜くことが可能となる。従って、使用者の引抜きの操作性がさらに向上する。尚、「略鉛直上」とは、鉛直方向を中心にして、±１０°以内の範囲である。
【００４２】
＜その他の実施形態＞
上述した第１、第３の実施形態の把持部５１、３５１の代わりに、Ｖ字状の把持部が採用されても、本発明の少なくとも一部の効果が奏される。但し、デザイン的な観点から、Ｕ字状、Ｃ字状の把持部５１、３５１が採用されることが好ましい。
【００４３】
また、上述した第２、第３の実施形態において、平面部５４に相当する部分の一部に、１個又は複数個の曲面を備えた凹部４５５が形成された把持部２５１、３５１が採用されることも好ましい一態様である。凹部４５５が形成された把持部２５１、３５１が採用されることにより、第４の実施形態と同様に、使用者による引抜きの操作性の更なる向上が図られ得る。
【００４４】
また、上述した第１乃至第４の実施形態において、平面部５４の両端に曲面部５６を備える構成が採用されているが、これに限定されない。平面部５４の両端に曲面部５６を備えない構成が採用されても、本発明の少なくとも一部の効果が奏される。但し、使用者の使用感及び操作性の観点から、平面部５４の両端に曲面部５６を備える構成が採用される方が好ましい。
【００４５】
また、上述した第２乃至第４の実施形態において、第１貫通孔３３ａ及び嵌入孔３４ａに対して、安全栓２５０，３５０，４５０の嵌入棒５２が略鉛直上に嵌入される構成が採用されても良い。このような安全栓２５０，３５０，４５０の構成が採用されることにより、第５の実施形態と同様に、使用者による引抜きの操作性の更なる向上が図られ得る。以上、述べたとおり、各実施形態の他の組合せを含む本発明の範囲内に存在する変形例もまた、特許請求の範囲に含まれるものとする。
【産業上の利用可能性】
【００４６】
本発明は、消火器用の安全栓及びその安全栓を備える消火器として広く利用され得る。
【符号の説明】
【００４７】
１０      消火剤貯蔵容器
３０      操作レバー
３１      蓋体
３２      固定レバー
３３      起動レバー
３３ａ    第１貫通孔
３３ｂ    第２貫通孔
３４      起倒杆
３４ａ    嵌入孔
３５      軸
３６      軸
４０      ホース
５０，２５０，３５０，４５０  安全栓
５１，２５１，３５１，４５１  把持部
５１ａ，３５１ａ  開口部
５２      嵌入棒
５３      係合突起
５４      平面部
５６      曲面部
６０      圧力計
１００，５００  消火器
４５５    凹部
Ａ        嵌入棒が把持部と連結する箇所
Ｂ        係合突起が把持部と連結する箇所
Ｔ１      平面部の幅
Ｔ２      開口部の幅
Ｔ３      平面部と曲面部とを合わせた幅
Ｗ        凹部の１つの曲面の幅
【図１】
2010200818.tif 000003
【図２】
2010200818.tif 000004
【図３】
2010200818.tif 000005
【図４】
2010200818.tif 000006
【図５】
2010200818.tif 000007
【図６】
2010200818.tif 000008
【図７】
2010200818.tif 000009
【図８】
2010200818.tif 000010
【図９】
2010200818.tif 000011